(57)【要約】【課題】従来、テレビ装置に後付でタッチパネルを取り付ける場合、タッチ位置情報をやりとりするために、上記のようにテレビ装置側でＵＳＢなどのデジタル汎用端子を備えていなければならない、という課題がある。そして、一般的なテレビ装置において、放送データの送受信用デジタル端子以外で、汎用のデジタル端子を有するものは多くない。【解決手段】以上の課題を解決するために、本発明は、デジタル汎用端子によるタッチ位置情報の送信の替わりに、基本的にはほとんど全てのテレビ装置が備えているチャンネル操作用などの赤外線信号を利用してタッチ位置情報を送信する機能を備えたテレビ用のタッチパネル装置を提供する。【選択図】図２
2009171121.tif 000002
【特許請求の範囲】
【請求項１】
赤外線受信部を有するテレビ用のタッチパネル装置であって、
テレビのディスプレイ画面を操作するためのタッチパネル部と、
タッチパネル部からパネルタッチ信号を取得するパネルタッチ信号取得部と、
パネルタッチ信号をパネル上タッチ位置を示すタッチ位置情報に変換する第一変換部と、
タッチ位置情報をテレビ読取可能な赤外線信号に変換して送出する第一赤外線信号送出部と、
を備え、かつデジタル汎用端子を有さないテレビに適したテレビ用タッチパネル装置。
【請求項２】
赤外線受信部を有するテレビ用のタッチパネル装置であって、
テレビのディスプレイ前面に取り付け可能なタッチパネル部と、
タッチパネル部からパネルタッチ信号を取得するパネルタッチ信号取得部と、
パネルタッチ信号をパネル上タッチ位置を示すタッチ位置情報に変換する第一変換部と、
タッチ位置情報をテレビ読取可能な赤外線信号に変換して送出する第一赤外線信号送出部と、
を備え、かつデジタル汎用端子を有さないテレビに適したテレビ用タッチパネル装置。
【請求項３】
赤外線受信部を有するテレビ用のタッチパネル装置であって、
テレビのディスプレイ画面を操作するためのタッチパネル部と、
タッチパネル部からパネルタッチ信号を取得するパネルタッチ信号取得部と、
パネルタッチ信号をテレビ用のリモコン信号に変換する第二変換部と、
リモコン信号をテレビ読取可能な赤外線信号に変換して送出する第二赤外線信号送出部と、
を備え、かつデジタル汎用端子を有さないテレビに適したテレビ用タッチパネル装置。
【請求項４】
赤外線受信部を有するテレビ用のタッチパネル装置であって、
テレビのディスプレイ前面に取り付け可能なタッチパネル部と、
タッチパネル部からパネルタッチ信号を取得するパネルタッチ信号取得部と、
パネルタッチ信号をテレビ用のリモコン信号に変換する第二変換部と、
リモコン信号をテレビ読取可能な赤外線信号に変換して送出する第二赤外線信号送出部と、
を備え、かつデジタル汎用端子を有さないテレビに適したテレビ用タッチパネル装置。
【請求項５】
請求項１又は２に記載のテレビ用タッチパネル装置を後付けするテレビに組み込むべき赤外線信号解釈装置であって、
テレビ上に表示すべきタッチアイテムと、そのタッチアイテムが選択される場合に取得すべきパネルタッチ信号に基づいたタッチ位置情報とを対応付ける第一対応テーブルを取得する第一対応テーブル取得部と、
テレビが受信する赤外線信号で示されるタッチ位置情報に対応するタッチアイテム識別情報を取得した第一対応テーブルを利用して算出する第一タッチアイテム識別情報取得部と、
を有する赤外線信号解釈装置。
【請求項６】
請求項３又は４に記載のテレビ用タッチパネル装置を後付けするテレビに組み込むべき赤外線信号解釈装置であって、
テレビ上に表示すべきタッチアイテムと、そのタッチアイテムが選択される場合に取得すべきパネルタッチ信号に基づいたリモコン信号とを対応付ける第二対応テーブルを取得する第二対応テーブル取得部と、
テレビが受信する赤外線信号で示されるリモコン信号に対応するタッチアイテム識別情報を取得した第二対応テーブルを利用して算出する第二タッチアイテム識別情報取得部と、
を有する赤外線信号解釈装置。
【請求項７】
赤外線受信部を有するテレビ用のタッチパネル装置の制御方法であって、
テレビのディスプレイを操作するためのタッチパネル部からパネルタッチ信号を取得するパネルタッチ信号取得ステップと、
パネルタッチ信号をパネル上タッチ位置を示すタッチ位置情報に変換する第一変換ステップと、
タッチ位置情報をテレビ読取可能な赤外線信号に変換して送出する第一赤外線信号送出ステップと、
を計算機に実行させ、かつデジタル汎用端子を有さないテレビに適したテレビ用タッチパネル装置の制御方法。
【請求項８】
赤外線受信部を有するテレビ用のタッチパネル装置の制御方法であって、
テレビのディスプレイ前面に取り付けたタッチパネル部からパネルタッチ信号を取得するパネルタッチ信号取得ステップと、
パネルタッチ信号をパネル上タッチ位置を示すタッチ位置情報に変換する第一変換ステップと、
タッチ位置情報をテレビ読取可能な赤外線信号に変換して送出する第一赤外線信号送出ステップと、
を計算機に実行させ、かつデジタル汎用端子を有さないテレビに適したテレビ用タッチパネル装置の制御方法。
【請求項９】
赤外線受信部を有するテレビ用のタッチパネル装置の制御方法であって、
テレビのディスプレイを操作するためのタッチパネル部からパネルタッチ信号を取得するパネルタッチ信号取得ステップと、
パネルタッチ信号をテレビ用のリモコン信号に変換する第二変換ステップと、
リモコン信号をテレビ読取可能な赤外線信号に変換して送出する第二赤外線信号送出ステップと、
を計算機に実行させ、かつデジタル汎用端子を有さないテレビに適したテレビ用タッチパネル装置の制御方法。
【請求項１０】
赤外線受信部を有するテレビ用のタッチパネル装置の制御方法であって、
テレビのディスプレイ前面に取り付けたタッチパネル部からパネルタッチ信号を取得するパネルタッチ信号取得ステップと、
パネルタッチ信号をテレビ用のリモコン信号に変換する第二変換ステップと、
リモコン信号をテレビ読取可能な赤外線信号に変換して送出する第二赤外線信号送出ステップと、
を計算機に実行させ、かつデジタル汎用端子を有さないテレビに適したテレビ用タッチパネル装置の制御方法。
【請求項１１】
請求項１又は２に記載のテレビ用タッチパネル装置を後付けするテレビに組み込むべき赤外線信号解釈装置の制御方法であって、
テレビ上に表示すべきタッチアイテムと、そのタッチアイテムが選択される場合に取得すべきパネルタッチ信号に基づいたタッチ位置情報とを対応付ける第一対応テーブルを取得する第一対応テーブル取得ステップと、
テレビが受信する赤外線信号で示されるタッチ位置情報に対応するタッチアイテム識別情報を取得した第一対応テーブルを利用して算出する第一タッチアイテム識別情報取得ステップと、
を計算機に実行させる赤外線信号解釈装置の制御方法。
【請求項１２】
請求項３又は４に記載のテレビ用タッチパネル装置を後付けするテレビに組み込むべき赤外線信号解釈装置の制御方法であって、
テレビ上に表示すべきタッチアイテムと、そのタッチアイテムが選択される場合に取得すべきパネルタッチ信号に基づいたリモコン信号とを対応付ける第二対応テーブルを取得する第二対応テーブル取得ステップと、
テレビが受信する赤外線信号で示されるリモコン信号に対応するタッチアイテム識別情報を取得した第二対応テーブルを利用して算出する第二タッチアイテム識別情報取得ステップと、
を計算機に実行させる赤外線信号解釈装置の制御方法。
【発明の詳細な説明】
【技術分野】
【０００１】
本発明は、テレビディスプレイ装置に対して、簡単に後付でタッチパネル機能を付加するための技術に関する。
【背景技術】
【０００２】
従来、テレビなどのディスプレイに指などを置きタッチすることで各種操作を行う、いわゆる「タッチ系」と呼ばれるユーザーインターフェースが提供されている。このようなタッチ系ユーザーインターフェースは、ディスプレイ上でのユーザーの指の動きやアイコン指定などの操作行動が計算機内部の処理内容に直結しているため、直感的な操作を行うことができる、という利点がある。
【０００３】
ここで、タッチ系ユーザーインターフェースは、例えば感圧センサや静電センサなどを配してタッチ位置を検出する機能を備えた「タッチパネル」を利用して実現することが出来る。具体的に、このタッチパネルを予めディスプレイスクリーンに組み込んで一体形成するほか、通常のテレビ装置に、後付でタッチパネルを接続する方法が挙げられる。また後付接続方法の場合には、両者をＵＳＢ（ユニバーサル・シリアル・バス）などのデジタル汎用端子によって接続することで、後付タッチパネルにおけるタッチ位置の情報がデジタル情報としてテレビ装置に取得され処理されることになる。
【特許文献１】特開２００３−１８６６２３号公報
【発明の開示】
【発明が解決しようとする課題】
【０００４】
しかし、テレビ装置に後付でタッチパネルを取り付ける場合、タッチ位置情報をやりとりするために、上記のようにテレビ装置側でＵＳＢなどのデジタル汎用端子を備えていなければならない、という課題がある。そして、一般的なテレビ装置において、放送データの送受信用デジタル端子以外で、汎用のデジタル端子を有するものは多くない。つまり、従来のテレビ装置用の後付タッチパネル化装置は、場合によって利用できないことが多々あった。
【課題を解決するための手段】
【０００５】
以上の課題を解決するために、本発明は、デジタル汎用端子によるタッチ位置情報の送信の替わりに、基本的にはほとんど全てのテレビ装置が備えているチャンネル操作用などの赤外線信号受信機能を利用してタッチ位置情報を送信することを特徴とするテレビ用のタッチパネル装置を提供する。
【０００６】
具体的には、赤外線受信部を有するテレビ用のタッチパネル装置であって、テレビのディスプレイ前面に取り付け可能なタッチパネル部と、タッチパネル部からパネルタッチ信号を取得するパネルタッチ信号取得部と、パネルタッチ信号をパネル上タッチ位置を示すタッチ位置情報に変換する変換部と、タッチ位置情報をテレビ読取可能な赤外線信号に変換して送出する赤外線信号送出部と、を備え、かつデジタル汎用端子を有さないテレビに適したテレビ用タッチパネル装置である。
【０００７】
また、タッチ位置情報の替わりにリモコン信号を赤外線信号に変調し送信する機能を備えたテレビ用タッチパネル装置も提供する。また、それらテレビ用タッチパネル装置を後付けするテレビに組み込むべき赤外線信号解釈装置も提供する。また、そのテレビ用タッチパネル装置の制御方法や赤外線信号解釈装置の制御方法も提供する。
【発明の効果】
【０００８】
以上のような構成をとる本発明によって、通常のテレビ装置であれば備えている赤外線受信部を利用して、デジタル汎用端子を有さないテレビにも後付でタッチパネル装置を取り付けることができる。したがって、より多くのテレビ装置に対して後付でタッチパネル装置を簡単に取り付けることができ、タッチ操作機能を付加することができる。
【発明を実施するための最良の形態】
【０００９】
以下に、図を用いて本発明の実施の形態を説明する。なお、本発明はこれら実施の形態に何ら限定されるものではなく、その要旨を逸脱しない範囲において、種々なる態様で実施しうる。
【００１０】
なお、実施例１は、主に請求項１、２，７，８について説明する。また、実施例２は、主に請求項３，４，９，１０について説明する。また、実施例３は、主に請求項５，１１について説明する。また、実施例４は、主に請求項６，１２について説明する。
【００１１】
≪実施例１≫
【００１２】
<概要>
【００１３】
図１は、本実施例のテレビ用タッチパネル装置における利用形態の一例を表す図である。この図１（ａ）にあるように、本実施例のテレビ用タッチパネル装置のタッチパネル部分を、通常のテレビなどのディスプレイ前面に取り付ける。
【００１４】
ここで、本実施例のテレビ用タッチパネル装置にはタッチパネルのタッチ位置を赤外線信号として発信する赤外線発信器（ボックス）が備えられている。また、テレビ装置の入力デバイスは赤外線信号を利用するリモコン装置であるため、通常のテレビ装置には赤外線受信機能が備えられている。
【００１５】
したがって、図１（ｂ）に示すように、タッチパネル部分におけるタッチ位置の情報が赤外線発信器から赤外線信号として発信され、テレビ装置の赤外線受信部に受信されるため、ＵＳＢなどのデジタル汎用端子を備えていない旧型のテレビであっても、後付で容易にタッチパネル機能を追加することができる、と言う具合である。
なお、上記ではタッチパネルをテレビのディスプレイ前面に取り付ける形態について例を挙げて説明したが、本発明ではそれ以外にも、例えばテレビの近くに置いたボードなどにボタンを明示し、そのボードにタッチパネルを取り付けるなどの形態も挙げられる。
【００１６】
<機能的構成>
【００１７】
図２は、本実施例のテレビ用タッチパネル装置における機能ブロックの一例を表す図である。この図にあるように、本実施例の「テレビ用タッチパネル装置」（０２００）は、「タッチパネル部」（０２０１）と、「パネルタッチ信号取得部」（０２０２）と、「第一変換部」（０２０３）と、「第一赤外線信号送出部」（０２０４）と、を有する。
【００１８】
なお、以下に記載する本装置、および後述する赤外線信号解釈装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザーインターフェース用アプリケーションなどが挙げられる。
【００１９】
そして主メモリ上に展開したプログラムに従ったＣＰＵの演算処理によって、入力デバイスやその他インターフェースなどから入力されメモリやハードディスク上に保持されているデータなどが加工、蓄積されたり、上記各ハードウェアやソフトウェアを制御するための命令が生成されたりする。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２０】
「タッチパネル部」（０２０１）は、テレビのディスプレイ前面に取り付け可能なタッチパネルであって、従来利用されているような、例えば抵抗膜式、音響パルス／赤外線遮断方式、静電方式、あるいは電磁誘導方式などのタッチパネルが挙げられる。また、タッチパネル部のディスプレイ前面への取り付けについては、既存の様々な取り付け方法を利用すると良い。そして、タッチパネル部がテレビのディスプレイ前面に取り付けられることで、例えば図３に示すように、ディスプレイに表示された「駅名検索」ボタンなどへのタッチを検知することができる。
【００２１】
またタッチパネル部は、テレビのディスプレイ画面を操作するためにディスプレイ前面以外の場所に取り付けられても良い。その場合には、例えば前述のように、テレビの近くに取り付けると良い。
そしてタッチパネル部は、後述する他の構成を備えるユニットボックスなどと別体に構成されても良い。すなわち、図１に示すように、「タッチパネル」と、後述する他の構成を備える「ユニットボックス（図では赤外線発信器）」とを有線や無線で接続し、検知したパネルタッチ信号をユニットボックスに送信する、と言う具合である。
【００２２】
「パネルタッチ信号取得部」（０２０２）は、タッチパネル部からパネルタッチ信号を取得する機能を有する。具体的に、例えば抵抗膜式であれば、電極からＸ方向、Ｙ方向へ順次印加した際の電圧値を読み取って、各電圧値をコントローラなどにてパネルタッチ信号として取得する、と言う具合である。あるいは赤外線遮断方式であれば、タッチパネル上に配置された複数の赤外線発光器／受光器の組において、タッチによって赤外線が遮断されて受光できなかった受光器のＩＤなどをパネルタッチ信号として取得する、と言う具合である。
【００２３】
そして、その電圧値や赤外線発光器のＩＤなどが、次の第一変換部にてタッチ位置情報として変換されその座標情報が取得される。
【００２４】
「第一変換部」（０２０３）は、パネルタッチ信号をタッチ位置情報に変換する機能を有する。「タッチ位置情報」とは、パネル上タッチ位置を示す情報をいい、例えばＸ，Ｙなどの座標値で示される位置情報などが挙げられる。具体的に、第一変換部での変換は、例えば抵抗膜方式のタッチパネルであれば、電圧値（パネルタッチ信号）と座標値（タッチ位置情報）とを関連付けたテーブルをフラッシュメモリなどに保持しておき、当該テーブルを参照したＣＰＵの演算処理によって、パネルタッチ信号をタッチ位置情報に変換する、と言う具合である。もちろん、その他の方式の場合でも、同様にパネルタッチ信号と座標値を関連付けたテーブルを利用した処理、各方式に特有の従来通りの処理によって上記変換を行うと良い。
【００２５】
「第一赤外線信号送出部」（０２０４）は、タッチ位置情報をテレビ読取可能な赤外線信号に変換して送出する機能を有する。この第一赤外線信号送出部も、例えば、タッチ位置情報と、そのタッチ位置情報を示す赤外線信号を示すデータ値とを関連付けた赤外線信号変換テーブルをフラッシュメモリなどに保持しておき、ＣＰＵの処理によってその変換すべき赤外線信号を示すデータ値を特定する、と言う具合である。
【００２６】
図４は、この赤外線信号送出部での赤外線信号の変換処理の一例を説明するための概念図である。この図４（ａ）にあるように、タッチパネルでのタッチに応じて上記処理によって変換されたタッチ位置情報、（３、Ｂ）が取得される。すると、図４（ｂ）に示すようなテーブルデータを参照し、タッチパネル上のタッチ位置（３、Ｂ）を示す赤外線信号データ値「０ｘ０１４１ｅｂｅ」が取得される。そして、そのデータ値が赤外線用の変調回路にて変調（変換）される、と言う具合である。
【００２７】
そして「第一赤外線信号送出部」では、例えば上記のように変調されたパルスに従って赤外線発光器を明滅させることで、当該赤外線信号を送出する。
【００２８】
なおテレビには、前述の通り入力デバイスであるリモコン用の赤外線受信機能が備えられている。したがって、ここで送出された赤外線信号を、特別なハードウェアなどを付加することなくテレビ側で受信することが出来る。そして、テレビ装置内に、図４（ｂ）と同様のテーブルデータや解釈用プログラムなどを組み込むことで、テレビ装置にて、後付で取り付けられたタッチパネルのパネルタッチ位置を取得することができる、と言う具合である。
【００２９】
<ハードウェア構成>
【００３０】
図５は、上記機能的な各構成要件をハードウェアとして実現した際の、テレビ用後付タッチパネル装置における構成の一例を表す概略図である。この図を利用してパネルタッチ位置を示す赤外線信号の送出処理におけるそれぞれのハードウェア構成部の働きについて説明する。
【００３１】
この図にあるように、テレビ用タッチパネル装置は、第一変換部である「ＣＰＵ（中央演算装置）」（０５０１）と、「主メモリ」（０５０２）と、を備えている。また上記の各種テーブルを保持する「フラッシュメモリ」（０５０３）や、パネルタッチ信号取得部である「Ｉ／Ｏ」（０５０４）、タッチパネル部である「タッチパネル」（０５０５）、そして赤外線信号送出部である「変調回路」（０５０６）や「赤外線発光器」（０５０７）も備えている。そしてそれらが「システムバス」などのデータ通信経路によって相互に接続され、情報の送受信や処理を行う。
【００３２】
また、「主メモリ」にはプログラムが読み出され、「ＣＰＵ」は読み出された当該プログラムを参照することで各種演算処理を実行する。また、この「主メモリ」や「フラッシュメモリ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００３３】
ここで、前面に「タッチパネル」が取り付けられたディスプレイにボタンなどを表示する。そして、そのディスプレイ上のボタンをユーザーが触れると、その前面にある「タッチパネル」へのタッチがなされることになる。そして、例えば抵抗膜式のタッチパネルであれば、そのＸ方向およびＹ方向の電圧値がパネルタッチ信号としてタッチパネルのコントローラにて取得される。そして、そのパネルタッチ信号が「Ｉ／Ｏ」を介して取得され、「主メモリ」のアドレス１に格納される。
【００３４】
すると赤外線送出プログラムに従った「ＣＰＵ」の論理演算処理によって、「フラッシュメモリ」のアドレスＡに格納されたタッチ位置情報変換テーブルから、「主メモリ」に格納されているパネルタッチ信号（例えば電圧値）に対応するタッチ位置情報（例えばＸＹ座標）が特定され、「主メモリ」のアドレス２に格納される。
【００３５】
つづいて、同様に赤外線送出プログラムに従った「ＣＰＵ」の論理演算処理によって、「フラッシュメモリ」のアドレスＢに格納された赤外線信号変換テーブルから、「主メモリ」に格納されているタッチ位置情報に対応する赤外線信号データ値が特定され、「主メモリ」のアドレス３に格納される。
【００３６】
そして、その「主メモリ」のアドレス３に格納された赤外線信号データ値を「変調回路」にてパルス信号に変調し、変調されたパルス間隔にて「赤外線発光器」の明滅が実行される、という具合である。そして、その明滅をテレビ側の赤外線受信機能で受信し、復調することで、テレビはパネルタッチ位置を示す赤外線信号を取得することができる。
【００３７】
<処理の流れ>
【００３８】
図６は、本実施例のテレビ用タッチパネル装置における処理の流れの一例を表すフローチャートである。なお、以下に示すステップは、媒体に記録され計算機を制御するためのプログラムを構成する処理ステップであっても構わない。
【００３９】
この図にあるように、まず、テレビのディスプレイ前面に取り付けたタッチパネル部からパネルタッチ信号を取得する（ステップＳ０６０１）。つづいて、そのパネルタッチ信号をパネル上のタッチ位置を示すタッチ位置情報に、例えば前述のテーブル表を利用したＣＰＵなどの演算処理によって変換する（ステップＳ０６０２）。次に、タッチ位置情報を、例えば変調回路による変調処理によってテレビ読取可能な赤外線信号に変換し（ステップＳ０６０３）、その変換した赤外線信号をテレビに対して送出する（ステップＳ０６０４）。
【００４０】
<効果の簡単な説明>
【００４１】
以上のように本実施例のテレビ用タッチパネル装置によって、テレビのディスプレイ前面に取り付けられたタッチパネル上のタッチ位置情報を赤外線信号として出力することができる。そして、その赤外線信号は、テレビの入力デバイスであるリモコン用の赤外線受信部にて受信することができるため、ＵＳＢなどのデジタル汎用端子を備えていない旧型のテレビであっても、後付で容易にタッチパネル機能を追加することができる。
【００４２】
≪実施例２≫
【００４３】
<概要>
【００４４】
図７は、本実施例におけるタッチパネル上のパネルタッチ位置を特定するための領域分割の一例を表す図である。この図にあるように、タッチパネル上の分割領域には、リモコンに設けられている１から１２までの「数字ボタン」や「音量調整ボタン」、「チャンネル上下ボタン」、「ミュートボタン」、「表示ボタン」、「音声切替ボタン」、「表示切替ボタン」が一意に割り当てられている。
【００４５】
つまり、本実施例ではパネルタッチ位置として「リモコンボタンに対応する領域」が特定されることになる。そして、通常のテレビ操作同様のリモコンボタンのデータ値を示す赤外線信号が送出される。したがってテレビ側では、専用のテーブル表などを組み込まなくとも、通常のリモコンテーブルを参照してそのパネルタッチ位置を特定することができる、という具合である。
【００４６】
<機能的構成>
本実施例のテレビ用タッチパネル装置における機能ブロックの一例を表す図である。この図にあるように、本実施例の「テレビ用タッチパネル装置」（０８００）は、「タッチパネル部」（０８０１）と、「パネルタッチ信号取得部」（０８０２）と、「第二変換部」（０８０３）と、「第二赤外線信号送出部」（０８０４）と、を有する。
【００４７】
なお、「タッチパネル部」と「パネルタッチ信号取得部」は、上記実施例で記載した同名の構成と同様であるので、その説明は省略する。
【００４８】
「第二変換部」（０８０３）は、パネルタッチ信号をテレビ用のリモコン信号に変換する機能を有する。「テレビ用のリモコン信号」とは、タッチパネルが取り付けられるテレビを操作するために予め登録されている、リモコン装置のボタン別操作信号のデータ値をいう。このように本実施例では、最初からテレビに登録されている「テレビ用のリモコン信号」を利用してパネルタッチ位置を示す情報を伝送することができる。なお、このテレビ用のリモコン信号への変換は、実施例１のタッチ位置情報への変換処理と同様に、リモコン信号の変換テーブル表を利用したＣＰＵの論理演算処理などによって実現すると良い。
【００４９】
そしてテレビ側では、テレビ用のリモコン信号とパネルタッチ位置の座標情報などとを関連付けたテーブル表と、そのテーブル表を参照してパネルタッチ位置を判別するプログラムなどを組み込むだけで、簡単に後付で取り付けられたタッチパネルのパネルタッチ位置を取得することができる。
【００５０】
「第二赤外線信号送出部」（０８０４）は、リモコン信号をテレビ読取可能な赤外線信号に変換して送出する機能を有し、例えば通常のテレビ用のリモコンと同様にＰＰＭ（パルス位置変調）方式などでリモコン信号を赤外線信号に変調し送出する方法などが挙げられる。
【００５１】
なお、本実施例におけるハードウェア構成の一例は、タッチ位置情報の代わりにリモコン信号を利用する点以外は実施例１で記載したものとほぼ同様であるので、その説明は省略する。
【００５２】
<処理の流れ>
【００５３】
図９は、本実施例のテレビ用タッチパネル装置における処理の流れの一例を表すフローチャートである。なお、以下に示すステップは、媒体に記録され計算機を制御するためのプログラムを構成する処理ステップであっても構わない。
【００５４】
この図にあるように、まず、テレビのディスプレイ前面に取り付けたタッチパネル部からパネルタッチ信号を取得する（ステップＳ０９０１）。つづいて、そのパネルタッチ信号をテレビ用のリモコン信号に、例えば前述のリモコン信号テーブル表を利用したＣＰＵなどの演算処理によって変換する（ステップＳ０９０２）。次に、リモコン信号を、例えば変調回路によるＰＰＭ変調などによってテレビ読取可能な赤外線信号に変換し（ステップＳ０９０３）、その変換した赤外線信号をテレビに対して送出する（ステップＳ０９０４）。
【００５５】
<効果の簡単な説明>
【００５６】
以上のように本実施例のテレビ用タッチパネル装置によって、タッチパネル上のパネルタッチ位置情報を、通常テレビが利用するリモコン信号を変換した赤外線信号として出力することができる。したがって、テレビ側ではテレビ用のリモコン信号とパネルタッチ位置の座標情報などとを関連付けたテーブル表と、そのテーブル表を参照してパネルタッチ位置を判別するプログラムなどを組み込むだけで、簡単に後付で取り付けられたタッチパネルのパネルタッチ位置を取得することができる。
【００５７】
≪実施例３≫
【００５８】
<概要>
【００５９】
本実施例は、上記実施例１で説明したタッチパネル装置が後付で取り付けられるテレビに組み込まれるべき赤外線信号解釈装置である。
【００６０】
図１０は、本実施例の赤外線信号解釈装置が組み込まれ、後付で実施例１のタッチパネル装置が取り付けられたテレビの一例を表す概念図である。この図にあるように、テレビ上にはタッチする対象として「バナナの画像シンボル」、「アップルの画像シンボル」、「ストロベリーの画像シンボル」が表示されている。ここでユーザーが、いずれかの画像シンボルにタッチすると、実施例のタッチパネル装置によってそのタッチ位置情報が赤外線信号に変換され出力される。そして本実施例の赤外線信号解釈装置はその赤外線信号を受信し解釈することで、ユーザーのタッチ位置情報を取得しいずれのシンボルにタッチしたか判別することが出来る。
【００６１】
<機能的構成>
【００６２】
図１１は、本実施例の赤外線信号解釈装置における機能ブロックの一例を表す図である。なお、本実施例の赤外線信号解釈装置は、実施例１に記載の「テレビ用タッチパネル装置」（１１００）を後付けするテレビに組み込むことを特徴とする。そしてこの図にあるように、本実施例の「赤外線信号解釈装置」（１１１０）は、「第一対応テーブル取得部」（１１１１）と、「第一タッチアイテム識別情報取得部」（１１１２）と、を有する。
【００６３】
「第一対応テーブル取得部」（１１１１）は、第一対応テーブルを取得する機能を有する。「第一対応テーブル」とは、テレビ上に表示すべきタッチアイテムと、そのタッチアイテムが選択される場合に取得すべきパネルタッチ信号に基づいたタッチ位置情報とを対応付けるテーブルをいい、フラッシュメモリなどの二次記憶装置に保持されており、適宜二次記憶装置内での保持アドレスを指定することで取得されるよう構成すると良い。
【００６４】
また、「タッチアイテム」とは、テレビ上に表示されタッチパネルでのタッチの対象として識別されるべきアイテムをいい、例えば画像やアイコン、シンボル、パネル、テキストなどその表示形態はさまざまであって良い。
【００６５】
図１２は、この第一対応テーブルの一例を表す概念図である。この図にあるように、例えば第一対応テーブルには、タッチ位置座標と、テレビ上に表示すべきタッチアイテムと、が関連付けられている。つまり実施例１のタッチパネル装置からの赤外線信号を復調し示されるタッチ位置情報（Ｘ，Ｙ座標）が「３０−６０、１０―５０」であれば、この第一対応テーブルを参照してバナナのタッチアイテムにタッチされた、と判別することが出来る。また、同様にタッチ位置情報が「３０−６０、６５―１１５」であれば、アップルのタッチアイテムにタッチされ、タッチ位置情報が「３０−６０、１３０―１７０」であれば、ストロベリーのタッチアイテムにタッチされた、と判別することができる、と言う具合である。
【００６６】
そして、この第一対応テーブルを利用して、次の第一タッチアイテム識別情報取得部にて、パネルタッチ位置にあるタッチアイテムを特定することができる。
【００６７】
なおこの第一対応テーブルは、以下のようにしてテレビ上に表示すべき画面構成に応じて適宜生成されると良い。すなわち、例えばテレビ上に表示すべきタッチアイテムを含むコンテンツ情報（ＨＴＭＬ文書など）をインターネット回線を介してサーバ装置から取得する。そして取得したコンテンツ情報にて示されるタッチアイテムの表示位置情報（例えば、alignタグなど）を利用して第一対応テーブルを生成する、と言う具合である。
【００６８】
「第一タッチアイテム識別情報取得部」（１１１２）は、テレビが受信する赤外線信号で示されるタッチ位置情報に対応するタッチアイテム識別情報を取得した第一対応テーブルを利用して算出する機能を有する。すなわち、実施例１のタッチパネル装置から送信された赤外線信号を復調し示されるタッチ位置情報（Ｘ，Ｙ座標）が「４１、８４」であれば、図１２に示す第一対応テーブルを参照し、ＣＰＵの論理演算処理によって、ユーザーのタッチしたタッチアイテム識別情報として「アップル」を取得する、と言う具合である。
【００６９】
また第一対応テーブルには、図１２に示すように、さらにタッチアイテムにタッチがなされた際に実行される「コマンド」が関連付けられていても良い。すなわち、「バナナ」などがタッチされた際には、valueの値を送信するよう定義されたsendanswerコマンドで、値「banana」をサーバなどに対して送信する処理を実行する、と言う具合である。
【００７０】
このようにして本実施例の赤外線信号解釈装置は、実施例１のタッチパネル装置から送出されたタッチ位置情報を示す赤外線信号を利用して、そのタッチ位置を解釈することができる。したがって、この赤外線信号解釈装置を組み込み、実施例１のタッチパネル装置を取り付けたテレビにおいては、ＵＳＢなどのデジタル汎用端子を有さなくとも、タッチパネル機能を備え、そのタッチ位置に応じた処理を実行することができる。
【００７１】
<ハードウェア構成>
【００７２】
図１３は、上記機能的な各構成要件をハードウェアとして実現した際の、赤外線信号解釈装置における構成の一例を表す概略図である。この図を利用して赤外線信号の解釈によるタッチアイテム識別情報の取得処理におけるそれぞれのハードウェア構成部の働きについて説明する。
【００７３】
この図にあるように、赤外線信号解釈装置は、第一対応テーブル取得部および第一タッチアイテム識別情報取得部である「ＣＰＵ」（１３０１）と、「主メモリ」（１３０２）と、を備えている。また第一対応テーブルや図４のテーブルなどを保持する「フラッシュメモリ」（１３０３）や、実施例１のタッチパネル装置から赤外線信号を受信する「赤外線受信器」（１３０４）も備えている。そしてそれらが「システムバス」などのデータ通信経路によって相互に接続され、情報の送受信や処理を行う。
【００７４】
ここで赤外線信号解釈装置は、例えば図示しないインターネット接続回路を介して、サーバ装置からテレビ上に表示すべきタッチアイテムを含むＨＴＭＬ文書を取得する。そして取得したＨＴＭＬ文書内のalignタグやテレビディスプレイの解像度などを変数としてＣＰＵの演算処理によってテレビ上に表示すべきタッチアイテムの表示位置情報を決定する。そして決定された表示位置情報とＨＴＭＬ文書内のタッチアイテム識別情報とを関連付けて「主メモリ」のアドレス１上に第一対応テーブルを生成し、「フラッシュメモリ」に格納する。つづいて、その第一対応テーブルにしたがって表示画面を生成し、実施例１のタッチパネル装置が後付で取り付けられているテレビのディスプレイに、タッチアイテムを表示する。そして、ユーザーが当該テレビ上に表示されている所望のタッチアイテムにタッチすると、実施例１で説明したように、そのパネルタッチ位置に応じて「タッチパネル装置」から赤外線信号が送出される。
【００７５】
そして、本実施例の赤外線信号解釈装置では、その赤外線信号を「赤外線受信器」で受信し、図示しない復調回路の復調処理によってその赤外線信号のデータ値を取得する。つづいて取得した赤外線信号のデータ値を「主メモリ」のアドレス３に格納すると、そのデータ値をキーとして、「フラッシュメモリ」のアドレスＢに格納されている図４に示すテーブルの検索処理を「ＣＰＵ」の論理演算処理によって実行する。そして、検索処理の結果取得したタッチ位置情報（Ｘ，Ｙ座標など）を「主メモリ」のアドレス４に格納する。
【００７６】
つづいて、今度はそのタッチ位置情報をキーとして、「フラッシュメモリ」のアドレスＡに格納されている第一対応テーブルの検索処理を「ＣＰＵ」の論理演算処理によって実行し、そこに表示されているタッチアイテム識別情報を特定する、と言う具合である。そして、例えば図１２に示すように、さらにそのタッチアイテム識別情報に関連付けられているコマンドを実行し、ユーザーのタッチに応じた処理が実行される。
【００７７】
<処理の流れ>
【００７８】
図１４は、本実施例の赤外線信号解釈装置における処理の流れの一例を表すフローチャートである。なお、以下に示すステップは、媒体に記録され計算機を制御するためのプログラムを構成する処理ステップであっても構わない。
【００７９】
この図にあるように、まず、例えばインターネット上のサーバ装置から取得したＨＴＭＬ文書などを利用して生成、保持している第一対応テーブルを取得する（ステップＳ１４０１）。つづいて、実施例１のタッチパネル装置から送出された赤外線信号を取得する（ステップＳ１４０２）と、例えば図４に示すテーブルなどを参照し、赤外線信号で示されるタッチ位置情報を取得する（ステップＳ１４０３）。そして最後に、タッチ位置情報に対応するタッチアイテム識別情報を、第一対応テーブルを利用して算出する（ステップＳ１４０４）。
【００８０】
<効果の簡単な説明>
【００８１】
以上のように本実施例の赤外線信号解釈装置は、実施例１のタッチパネル装置から送出されたタッチ位置情報を示す赤外線信号を利用して、そのタッチ位置を解釈することができる。したがって、この赤外線信号解釈装置を組み込み、実施例１のタッチパネル装置を取り付けたテレビにおいては、ＵＳＢなどのデジタル汎用端子を有さなくとも、タッチパネル機能を備え、そのタッチ位置に応じた処理を実行することができる。
【００８２】
≪実施例４≫
【００８３】
<概要>
【００８４】
本実施例も、上記実施例３と同様にタッチパネル装置からの赤外線信号を受信し、そのタッチ位置に応じた処理を実行するための赤外線信号解釈装置である。そして本実施例では、実施例２のタッチパネル装置からの赤外線信号、すなわちリモコン信号のデータ値を示す赤外線信号を受信する点を特徴とする。したがって本実施例の赤外線信号解釈装置では受信した赤外線信号を解釈した結果、実施例３とは異なり、図７に示すようにタッチパネル上の領域に割り当てられたリモコン信号を取得する。そしてそのリモコン信号に応じて処理を実行することを特徴とする。
【００８５】
<機能的構成>
【００８６】
図１５は、本実施例の赤外線信号解釈装置における機能ブロックの一例を表す図である。なお、本実施例の赤外線信号解釈装置は、実施例２に記載の「テレビ用タッチパネル装置」（１５００）を後付けするテレビに組み込むことを特徴とする。そしてこの図にあるように、本実施例の「赤外線信号解釈装置」（１５１０）は、「第二対応テーブル取得部」（１５１１）と、「第二タッチアイテム識別情報取得部」（１５１２）と、を有する。
【００８７】
「第二対応テーブル取得部」（１５１１）は、第二対応テーブルを取得する機能を有する。「第二対応テーブル」とは、テレビ上に表示すべきタッチアイテムと、そのタッチアイテムが選択される場合に取得すべきパネルタッチ信号に基づいたリモコン信号とを対応付けるテーブルをいう。すなわち、図１２を用いて実施例３にて説明した第一対応テーブルにおける「タッチ位置座標」の項目が、「１ボタン」などのリモコンボタン信号のデータ値や識別情報などであることを特徴とする。そして、そのようなリモコンのボタン信号は、図７に示すようにタッチパネル上の分割領域に割り当てられているため、赤外線信号で示されるリモコン信号を解釈することで、そのタッチ領域を判断することができる、と言う具合である。
【００８８】
また本実施例では、赤外線信号とリモコン信号との対応関係について、テレビ内に予め保持されているリモコンテーブルを利用して判断することができるため、当該リモコンテーブル表を別途生成したり組み込んだりする必要がない。
【００８９】
「第二タッチアイテム識別情報取得部」（１５１２）は、テレビが受信する赤外線信号で示されるリモコン信号に対応するタッチアイテム識別情報を取得した第二対応テーブルを利用して算出する機能を有する。なおタッチアイテム識別情報の算出については、その算出のキーとなる情報が実施例２のタッチパネル装置からの赤外線信号を復調することで得られるリモコン信号である点を除けば、上記実施例３の第一タッチアイテム識別情報取得部における算出処理と同様である。
【００９０】
なお、本実施例におけるハードウェア構成の一例は、タッチ位置情報の代わりにリモコン信号を利用する点以外は実施例３で記載したものとほぼ同様であるので、その説明は省略する。
【００９１】
<処理の流れ>
【００９２】
図１６は、本実施例の赤外線信号解釈装置における処理の流れの一例を表すフローチャートである。なお、以下に示すステップは、媒体に記録され計算機を制御するためのプログラムを構成する処理ステップであっても構わない。
【００９３】
この図にあるように、まず、例えばインターネット上のサーバ装置から取得したＨＴＭＬ文書などを利用して生成、保持している第二対応テーブルを取得する（ステップＳ１６０１）。つづいて、実施例２のタッチパネル装置から送出された赤外線信号を取得する（ステップＳ１６０２）と、例えばテーブル表などを参照し、赤外線信号で示されるリモコン信号のデータ値や識別情報などを取得する（ステップＳ１６０３）。そして最後に、リモコン信号に対応するタッチアイテム識別情報を、第二対応テーブルを利用して算出する（ステップＳ１６０４）。
【００９４】
<効果の簡単な説明>
【００９５】
以上のように、本実施例の赤外線信号解釈装置によって、実施例２のタッチパネル装置から送出されたリモコン信号を示す赤外線信号を利用して、そのリモコン信号が割り当てられているタッチパネル上のタッチ領域を解釈することができる。したがって実施例３同様、この赤外線信号解釈装置を組み込み、実施例２のタッチパネル装置を取り付けたテレビにおいては、ＵＳＢなどのデジタル汎用端子を有さなくとも、タッチパネル機能を備え、そのタッチ位置に応じた処理を実行することができる。
【図面の簡単な説明】
【００９６】
【図１】実施例１のテレビ用タッチパネル装置における利用形態の一例を表す図
【図２】実施例１のテレビ用タッチパネル装置における機能ブロックの一例を表す図
【図３】実施例１のテレビ用タッチパネル装置のタッチパネル部が取り付けられたテレビのディスプレイの一例を表す概念図
【図４】実施例１のテレビ用タッチパネル装置の赤外線信号送出部での赤外線信号の変換処理の一例を説明するための概念図
【図５】実施例１のテレビ用タッチパネル装置におけるハードウェア構成の一例を表す図
【図６】実施例１のテレビ用タッチパネル装置における処理の流れの一例を表すフローチャート
【図７】実施例２のテレビ用タッチパネル装置におけるタッチパネル上のパネルタッチ位置を特定するための領域分割の一例を表す図
【図８】実施例２のテレビ用タッチパネル装置における機能ブロックの一例を表す図
【図９】実施例２のテレビ用タッチパネル装置における処理の流れの一例を表すフローチャート
【図１０】実施例３の赤外線信号解釈装置が組み込まれ、後付で実施例１のタッチパネル装置が取り付けられたテレビの一例を表す概念図
【図１１】実施例３の赤外線信号解釈装置における機能ブロックの一例を表す図
【図１２】実施例３の赤外線信号解釈装置の第一対応テーブル取得部で取得される第一対応テーブルの一例を表す概念
【図１３】実施例３の赤外線信号解釈装置におけるハードウェア構成の一例を表す図
【図１４】実施例３の赤外線信号解釈装置における処理の流れの一例を表すフローチャート
【図１５】実施例４の赤外線信号解釈装置における機能ブロックの一例を表す図
【図１６】実施例４の赤外線信号解釈装置における処理の流れの一例を表すフローチャート
【符号の説明】
【００９７】
０２００  テレビ用タッチパネル装置
０２０１  タッチパネル部
０２０２  パネルタッチ信号取得部
０２０３  第一変換部
０２０４  第一赤外線信号送出部
１１１０  赤外線信号解釈装置
１１１１  第一対応テーブル取得部
１１１２  第一タッチアイテム識別情報取得部
【図１】
2009171121.tif 000003
【図２】
2009171121.tif 000004
【図３】
2009171121.tif 000005
【図４】
2009171121.tif 000006
【図５】
2009171121.tif 000007
【図６】
2009171121.tif 000008
【図７】
2009171121.tif 000009
【図８】
2009171121.tif 000010
【図９】
2009171121.tif 000011
【図１０】
2009171121.tif 000012
【図１１】
2009171121.tif 000013
【図１２】
2009171121.tif 000014
【図１３】
2009171121.tif 000015
【図１４】
2009171121.tif 000016
【図１５】
2009171121.tif 000017
【図１６】
2009171121.tif 000018